(57)【要約】【課題】  電子ファイルの正本性を確認するのにより便利な電子ファイル管理システムを実現する。【解決手段】  電子ファイル管理システム１は、電子ファイル１０を編集するとともに、電子ファイル１０の編集に伴って電子ファイル１０のファイル情報を更新する編集ソフト１２を有するユーザ端末１４に実装されるものであり、電子ファイル１０の正本性を示す情報が記述された電子タグ１６を電子ファイル１０に付与する電子タグ付与手段１８と、電子タグ１６の正当性情報と電子ファイル１０のファイル情報とを照合して電子ファイル１０の正当性を検証する正本性検証手段２０を備える。【選択図】  図１
2006227878.tif 000002
【特許請求の範囲】
【請求項１】
電子ファイルを編集する手段と、前記電子ファイルの編集に伴って前記電子ファイルの属性情報を更新する手段とを有するユーザ端末に実装される電子ファイル管理システムにおいて、
前記電子ファイルの正本性を示す情報が記述された電子タグを前記電子ファイルに付与する電子タグ付与手段と、
前記電子タグの前記正当性情報と前記電子ファイルの前記属性情報とを照合して前記電子ファイルの正当性を検証する手段を備えてなることを特徴とする電子ファイル管理システム。
【請求項２】
前記電子タグに前記正当性情報を記述する手段を備え、前記記述手段は、正当権限を有する者の操作を許可するアクセス制限機能を有してなることを特徴とする請求項１に記載の電子ファイル管理システム。
【請求項３】
前記正当性情報は、前記電子ファイルの基本情報、編集情報、発行情報の少なくとも１つであることを特徴とする請求項１又は２に記載の電子ファイル管理システム。
【請求項４】
前記電子ファイルの前記電子タグに記述される上流図書情報を読み出す手段と、該上流図書情報を上流図書情報データベースの上流図書情報に照合して前記電子ファイルの上流図書との整合性を検証する手段を有してなることを特徴とする請求項１乃至３のいずれかに記載の電子ファイル管理システム。
【請求項５】
複数の前記電子タグ情報を配列したタグ管理データベースを実装し、前記タグ管理データベースは、ネットワークを介して受信する電子タグ情報に基づき更新されることを特徴とする請求項１乃至４のいずれかに記載の電子ファイル管理システム。
【発明の詳細な説明】
【技術分野】
【０００１】
本発明は、電子ファイルを管理するシステムに関する。
【背景技術】
【０００２】
文書データやＣＡＤデータなどの電子ファイルを管理するシステムとして、電子ファイルを編集及び発行するユーザ端末をネットワークを介して管理サーバに複数接続し、各ユーザ端末で編集又は発行された電子ファイルを管理サーバで中央管理するものが知られている。
【０００３】
このような電子ファイル管理システムにおいては、電子ファイルの編集に伴って電子ファイルの属性情報（例えば、編集日時）が更新される。更新された電子ファイルの属性情報を管理サーバで一元管理することにより、業務で氾濫する電子ファイルの正本性（例えば、原本との同一性）を確認することが行われる（例えば、特許文献１）。
【０００４】
【特許文献１】特開２００２−８２９３４号公報
【発明の開示】
【発明が解決しようとする課題】
【０００５】
しかし、特許文献１のような方式では、電子ファイルの管理サーバにユーザ端末が多数接続されると、管理サーバの処理能力の制限や、管理サーバとユーザ端末とを接続するネットワーク回線容量の制限などに起因して、管理サーバとユーザ端末との間の応答性が劣化する場合がある。その場合、電子ファイルの正本性を確認するのに時間がかかるなど、利用者にとって使い勝手が悪くなる。
【０００６】
また、オフィス以外の外出先や出張先等においては、ネットワークを利用できないことが多々ある。その場合、ネットワークに接続された管理サーバにユーザ端末を接続できないことになるため、ユーザ端末で電子ファイルの正本性を確認できず、利用者にとっては不便である。
【０００７】
本発明の課題は、電子ファイルの正本性を確認するのにより便利な電子ファイル管理システムを実現することにある。
【課題を解決するための手段】
【０００８】
上記課題を解決するため、本発明の電子ファイル管理システムは、電子ファイルを編集する手段と、電子ファイルの編集に伴って電子ファイルの属性情報を更新する手段とを有するユーザ端末に実装され、電子ファイルの正本性を示す情報が記述された電子タグを電子ファイルに付与する電子タグ付与手段と、電子タグの正本性情報と電子ファイルの属性情報とを照合して電子ファイルの正本性を検証する手段を備えてなることを特徴とする。
【０００９】
これによれば、例えば正当権限なき第三者が電子ファイルを無断編集すると、電子ファイルの属性情報は更新されるが、電子タグに記述された情報は更新されない。したがって、電子タグの記述情報と電子ファイルの属性情報との一致を確認することにより、電子ファイルの正本性を簡単に確認できる。
【００１０】
要するに、物にＩＣタグを取り付けて管理するのと同様に、電子ファイルに電子タグを付与して管理することにより、ユーザ端末にある電子ファイルの正本性を確認できる。換言すると、ユーザ端末がいわゆるオフラインの環境下にあるときでも、手元の電子ファイルの正本性を簡単に確認できることから、便利である。
【００１１】
また、電子ファイルの電子タグに記述された上流図書情報を読み出す手段と、上流図書情報を上流図書情報データベースの上流図書情報に照合して電子ファイルの上流図書との整合性を検証する手段を備えることができる。
【００１２】
また、複数の電子タグ情報を配列したタグ管理データベースを実装し、タグ管理データベースは、ネットワークを介して受信する電子タグ情報に基づき更新することができる。
【発明の効果】
【００１３】
本発明によれば、電子ファイルの正本性を確認するのにより便利な電子ファイル管理システムを実現できる。
【発明を実施するための最良の形態】
【００１４】
（第一の実施形態）
本発明を適用した電子ファイル管理システムの第一の実施形態について図面を参照して説明する。図１は、本実施形態の電子ファイル管理システムの構成図である。図２は、電子タグに記述された情報を示す図である。
【００１５】
図１に示すように、文書データやＣＡＤデータなどの電子ファイルを管理する電子ファイル管理システム１は、電子ファイル１０を編集する手段としての編集ソフト１２を有するユーザ端末１４に実装される。ここでの編集ソフト１２は、電子ファイル１０の編集に伴って電子ファイル１０の属性情報（以下、ファイル情報という）を更新する機能を有する。
【００１６】
ここで本発明に係る電子ファイル管理システム１は、電子ファイル１０の正本性を示す情報（以下、電子タグ情報という）が記述された電子タグ１６を電子ファイルに付与する電子タグ付与手段１８と、電子タグ１６の電子タグ情報と電子ファイル１０のファイル情報とを照合して電子ファイル１０の正本性を検証する正本性検証手段２０を備えている。なお、ここでの正本性とは、原本との同一性のことである。
【００１７】
より詳細に電子ファイル管理システム１を説明する。図１に示すように、電子ファイル管理システム１が実装されるユーザ端末１４は、例えばパーソナルコンピュータであり、オペレーティングシステム２２を搭載している。編集ソフト１２は、例えば、文書作成ソフトウェアでもよいし、製品設計用のＣＡＤソフトウェアでもよい。電子ファイル１０は、編集ソフト１２に対応したデータ形式を有し、ユーザ端末１４の例えばハードディスクに記憶されている。
【００１８】
電子ファイル管理システム１は、ユーザ端末１４に実装されるソフトウェアであり、電子ファイル１０に電子タグ１６を付与する電子タグ付与手段１８と、電子タグ１６に電子タグ情報を記述する電子タグ情報記述手段２４と、電子ファイル１０の電子タグ情報やファイル情報を取得する情報取得手段２６と、情報取得手段２６により取得された電子タグ情報とファイル情報との一致を判定して電子ファイル１０の正本性を検証する正本性検証手段２０と、電子タグ１６に格納された電子タグ情報をモニタ画面に表示させる表示手段２８と、電子タグ１６に記述する電子タグ情報の一部を入力する入力手段３０を有している。
【００１９】
電子タグ付与手段１８は、電子ファイル１０の主データ格納領域以外の領域を電子タグ１６の領域として確保する方式でもよいし、元ファイルの末尾に電子タグ情報を結合して電子ファイル１０として再保存する方式でもよい。要は、電子ファイル１０に電子タグ１６を取り付けることができればよい。
【００２０】
電子タグ情報記述手段２４は、電子タグ１６に電子タグ情報として固有情報、編集情報、発行情報を記述する。例えば、図２に示すように、固有情報とは、電子ファイル１０に電子タグ１６を付与する時のＰＣ名、ユーザ名、作成日時、ファイル名、ファイルサイズである。編集情報とは、電子ファイル１０の編集時のＰＣ名、編集者、編集日時、ファイル名、ファイルサイズ、編集ステータスである。なお、編集ステータスとは、電子ファイル１０の発行前に関係者内部にファイルの編集状態（例えば、編集中）を認知させるための編集メッセージであり、入力手段３０を介して入力される。発行情報とは、電子ファイル１０を正式なものとして発行する時の図書番号、来歴番号、発行日時、発行者、承認者、ファイル名、ファイルサイズである。電子ファイル１０の発行とは、例えば、編集済ファイルを正式な承認済ファイルとしてＰＤＦ（Portable Document Format）に出力することである。
【００２１】
また、電子タグ情報記述手段２４は、正当権限を有する者（例えば、正当な編集者）の操作を許可するアクセス制限機能を有する。例えば、電子タグ１６に電子タグ情報を格納するときに所定のアクセスコードが要求される。
【００２２】
情報取得手段２６は、電子ファイル１０の電子タグ情報やファイル情報を取得する。電子タグ情報は、電子タグ１６に格納された情報である。ファイル情報とは、電子ファイル１０の属性を示す一般情報であり、例えば、ファイル名、ファイルサイズ、編集者、編集日時である。このファイル情報は、電子ファイル１０の編集に伴って自動更新される。
【００２３】
正本性検証手段２０は、情報取得手段２６により取得された電子タグ情報とファイル情報とを照合して電子ファイル１０の正本性を検証する。より具体的には、電子タグ情報とファイル情報が一致するときは、電子ファイル１０の正本性を認定し、相違するときは否認する。なお、電子タグ情報とファイル情報に配列される複数のデータの中から、比較すべきデータを任意に指定してもよい。
【００２４】
表示手段２８は、電子タグ情報をモニタ画面に表示する機能や、電子ファイル１０の正本性を示すメッセージを表示する機能を有する。入力手段３０は、例えば、電子ファイル１０の編集ステータスを入力する手段であり、正当権限を有する者の操作を許可するアクセス制限機能を有する。
【００２５】
図３は、電子ファイル管理システム１の全体処理を示すフローチャートである。図４は、電子タグ１６の電子タグ情報の表示例である。
【００２６】
図３に示すように、ユーザ端末１４を操作することにより、編集ソフト１２により電子ファイル１０が開かれる（Ｓ１０）。電子ファイル１０に電子タグ１６が付与されているか否かが判定される（Ｓ１１）。電子タグ１６が付与されている場合は、図４に示すように電子タグ情報がモニタ画面に表示される（Ｓ１２）。
【００２７】
電子タグ情報が表示されるとともに、電子ファイル１０の正本性の検証が行われる（Ｓ１３）。より具体的には、電子ファイル１０の電子タグ１６に格納された電子タグ情報が情報取得手段２６により取得される。また、電子ファイル１０の電子ファイル情報が情報取得手段２６により取得される。取得された電子タグ情報と電子ファイル情報が、正本性検証手段２０により比較される。電子タグ情報とファイル情報が一致するとき、電子ファイル１０の正本性が立証される。このとき、正本性検証手段２０から表示手段２８に表示指令が出力される。表示指令に応じ、電子ファイル１０が原本と同一であることを示すメッセージが表示される（Ｓ１４）。なお、電子ファイル１０を再編集したいとき（Ｓ１５）、モニタ画面に表示されたＧＵＩボタン(Graphical User Interface button)を押すことにより、電子タグ１６の付与処理（Ｓ１６）が実行される。また、Ｓ１１の工程で、電子タグ１６が未付与の場合も、電子タグ１６の付与処理（Ｓ１６）が実行される。
【００２８】
図５は、図３の電子タグ１６の付与処理（Ｓ１６）の処理内容を示すフローチャートである。本処理が開始されると、電子タグ付与手段１８により電子ファイル１０に電子タグ１６が付与される（Ｓ２０）。電子タグ１６が付与されると、固有情報が自動取得される。取得された固有情報は、電子タグ情報記述手段２４により電子タグ１６に自動記録される（Ｓ２１）。電子ファイル１０が編集ソフト１２を介して編集されると（Ｓ２２）、編集情報が電子タグ情報記述手段２４により電子タグ１６に自動記録される（Ｓ２３）。電子ファイル１０の編集が完了したとき、電子ファイル１０が編集ソフト１２により発行される（Ｓ２４）。電子ファイル１０が発行されると、発行情報が電子タグ情報記述手段２４により電子タグ１６に自動記録される（Ｓ２５）。
【００２９】
図６は、図３の電子ファイル１０の正本性の検証処理（Ｓ１３）の判断ロジックを示すフローチャートである。本処理が開始されると、電子タグ１６の電子タグ情報と電子ファイル１０のファイル情報との同一性が判定される（Ｓ３０）。電子タグ情報とファイル情報が同一のときは、電子ファイル１０は発行されたものと同じファイルであると判定される。このように判定されると、例えば「このファイルは、発行後に編集されていません。」というメッセージが表示手段２８により表示される（Ｓ３１）。本工程により、電子ファイル１０は原本として発行されたものであると確認されるため、電子ファイル１０の正本性が肯定される。
【００３０】
電子タグ情報とファイル情報が相違するときは、電子タグ１６の編集情報が確認される。より具体的には、編集者情報の記載の有無が判断される（Ｓ３２）。編集者情報の記載がないときは、電子ファイル１０は、発行後に電子タグ１６に記録されずに編集されたものであると判定される。このように判定されると、例えば「このファイルは、電子タグに記録せず編集されています。」というメッセージが表示手段２８により表示される（Ｓ３３）。
【００３１】
電子タグ１６に編集者情報が記載されている場合は、その編集者がファイル情報の編集者と一致するか否かが判定される（Ｓ３４）。編集者が一致するときは、「このファイルは、Ａ氏により編集された後、最終的にＡ氏により電子タグに記録せず編集されています。」というメッセージが表示手段２８により表示される（Ｓ３５）。編集者が一致しないときは、「このファイルは、Ａ氏より編集された後、最終的にＢ氏により電子タグに記録せずに編集されています。」というメッセージが表示手段２８により表示される（Ｓ３６）。本工程により、電子ファイル１０が編集中のものであるとき、その編集者や編集目的を容易に把握できる。したがって、電子ファイル１０が氾濫するときでも、電子ファイル１０の不整合を抑止できる。
【００３２】
要するに、例えば正当権限なき第三者が電子ファイル１０を無断編集すると、電子ファイル１０のファイル情報は自動更新されるが、電子タグ１６に記述された電子タグ情報は更新されない。したがって、電子タグ情報とファイル情報との一致を確認することにより、電子ファイル１０の正本性を容易に確認できる。
【００３３】
本実施形態によれば、物にＩＣタグを取り付けて管理するのと同様に、電子ファイル１０に電子タグ１６を付与して管理することにより、手元にある電子ファイル１０の正当性を確認できる。換言すると、ユーザ端末１４がいわゆるオフラインの環境下にあるときでも、電子ファイル１０の正当性を簡単に確認できるため、利用者にとって便利である。
【００３４】
また、例えばネットワーク設備や管理サーバやデータベースシステムなどが不要になり、電子ファイル管理システム１を容易に構築できる。さらに電子ファイル管理システム１の運用も簡単になり、運用コストを低減できる。
【００３５】
（第二の実施形態）
本発明を適用した電子ファイル管理システムの第二の実施形態について説明する。本実施形態の電子ファイル管理システムは、電子ファイル１０が最新の上流図書に基づいて作成されたものか否かを判断する点で、第一の実施形態と異なる。したがって、第一の実施形態と相互に対応する箇所について同一符号を付し、相違点を中心に説明する。
【００３６】
一般に、企業等の研究開発は、基本設計から最終設計に至るまで多工程が介在するトップダウン設計又はボトムアップ設計で行われる。各工程の電子ファイル１０は、前工程（上流工程）から渡された上流図書に基づいて作成される。各工程に渡される上流図書が最新のものでない場合、各工程の作業が無駄になることがある。そこで、本実施形態では、電子ファイル１０の上流図書との整合性を確認可能にした。
【００３７】
図７は、本実施形態の電子ファイル管理システム２の構成図である。図８は、図７の電子タグ１６に記述された電子タグ情報を示す図である。図９は、電子ファイル１０の上流図書との整合性を検証する処理を示すフローチャートである。
【００３８】
図７に示すように、電子ファイル管理システム２は、上流図書情報データベースから電子ファイル１０に関する上流図書情報を取得する上流図書情報取得手段４０と、電子ファイル１０の上流図書との整合性を検証する整合性検証手段４２とを備えた点で、図１の場合と異なる。ここでの上流図書情報データベースは、電子ファイル１０の上流図書情報が配列されたものであり、ユーザ端末１４にネットワークを介して接続された管理サーバに搭載してもよいし、ユーザ端末１４に記憶媒体（例えば、ＤＶＤ）を介して入力してもよい。
【００３９】
また、図８に示すように、本形態の電子タグ１６は、電子タグ情報として上流図書情報が記述された点で、図２の場合と異なる。上流図書情報とは、例えば、上流図書番号、来歴番号（改訂番号）、上流図書情報データベース名、上流図書情報データベースを参照した日時である。
【００４０】
このような電子ファイル管理システム２においては、まず、電子ファイル１０の電子タグ情報が、情報取得手段２６により電子タグ１６から読み取られる（Ｓ９０）。また、上流図書情報取得手段４０により、上流図書情報が上流図書情報データベースから取得される（Ｓ９１）。Ｓ９０の工程の上流図書情報とＳ９１の工程の上流図書情報が一致するか否かが、整合性検証手段４２により判定される（Ｓ９３）。一致するときは、電子ファイル１０は最新の上流図書に基づいて作成されたものと判定される。このように判定されると、電子ファイル１０を最新の設計図書として発行することが可能になる（Ｓ９４）。不一致のときは、電子ファイル１０は最新の上流図書に基づいて作成されていないものと判定される。このように判定されると、その旨を添えて電子ファイル１０の発行元に電子ファイル１０が返却される（Ｓ９５）。電子ファイル１０が返却されると、発行者により電子ファイル１０の上流図書が再確認される（Ｓ９６）。再確認することにより、電子ファイル１０の内容変更の必要性が判断される（Ｓ９７）。電子ファイル１０の内容変更が必要でないと認められるとき、入力手段３０を介して電子タグ情報記述手段２４により上流図書情報が修正される（Ｓ９８）。電子ファイル１０の内容変更が必要と認められるとき、発行者により変更内容が確認された後、電子ファイル１０が再作成される（Ｓ９９）。なお、電子ファイル１０の上流図書が変更された場合、変更された上流図書に対応する電子ファイル１０にメッセージを表示してもよい。
【００４１】
本実施形態によれば、最新の上流図書に基づいて電子ファイル１０を作成又は編集することができる。換言すると、図書の来歴相違による不整合を回避できる。これにより、不適切な上流図書に基づいた無駄な作業を削減できる。本形態の電子ファイル管理システム２は、例えば、メーカとベンダーとの間で単一の研究開発データベースや、単一の図書管理システムを共有していない場合に有効である。
【００４２】
本実施形態の電子ファイル管理システム２は、電子ファイル１０の上流図書との整合性を確保することに代えて、電子ファイル１０の関連図書との整合性を確保することもできる。その場合、電子タグ１６の電子タグ情報として関連図書情報を記述すればよいし、電子タグ１６の関連図書情報と照合するための関連図書情報を関連図書情報データベースから取得すればよい。
【００４３】
（第三の実施形態）
本発明を適用した電子ファイル管理システムの第三の実施形態について説明する。本実施形態の電子ファイル管理システムは、ユーザ端末１４にネットワークを介して接続される図書データベースを有する点で、第一及び第二の実施形態と異なる。したがって、第一及び第二の実施形態と相互に対応する箇所について同一符号を付し、相違点を中心に説明する。
【００４４】
図１０は、本実施形態の電子ファイル管理システム３の概略構成図である。図１１は、図１０の電子ファイル管理システム３の構成を示すブロック図である。図１２は、図１１の電子タグ１６に記述された電子タグ情報を示す図である。
【００４５】
図１０及び図１１に示すように、電子ファイル管理システム３は、ネットワーク（例えば、インターネット）を介して図書データベース４５に接続している。このような電子ファイル管理システム３は、図書データベース４５との間でデータを授受する図書データベース通信手段４４と、複数の電子タグ１６に関連した電子タグ情報を配列したタグ管理データベース４６を備える点で、図１又は図７の場合と異なる。
【００４６】
また、図１２に示すように、本形態の電子タグ１６は、電子タグ情報として図書データベース情報が記述された点で、図２又は図８の場合と異なる。図書データベース情報とは、例えば、図書データベース登録先、登録日時、登録者、ファイル名、ファイルサイズである。
【００４７】
このような電子ファイル管理システム３においては、ユーザにより電子ファイル１０が発行されると、発行された電子ファイル１０はネットワークを介して図書データベース４５に送付される。ここでの電子ファイル１０の電子タグ１６は、図書データベース情報が記録されている。図書データベース４５にユーザ端末１４が常時通信可能な場合は、第一又は第二の実施形態と基本的に同様である。
【００４８】
一方、ユーザ端末１４が図書データベース４５と間欠的に通信可能な場合は、図書データベース通信手段４４により図書データベース４５から電子タグ情報が間欠的に（例えば、通信可能な時間ごと）に取得される。取得された電子タグ情報は、タグ管理データベース４６に電子タグ情報として登録される。換言すると、タグ管理データベース４６は、図書データベース４５との間で通信可能な時間に最新の電子タグ情報にアップデートされる。アップデートされたタグ管理データベース４６に基づき、電子ファイル１０の上流図書の電子タグ情報を参照することにより、電子ファイル１０の最新の上流図書に基づいて作成されたものか否かが判断される。
【００４９】
本実施形態によれば、外出先や出張先などのネットワークを利用できない環境下においても、電子ファイル１０の上流図書との整合性をより的確に確認できる。換言すると、ユーザ端末１４がいわゆるオフラインの環境化においても、図書の来歴相違による不整合を回避できる。これにより、不適切な上流図書に基づいた無駄な作業をより的確に削減できる。
【００５０】
また、タグ管理データベース４６は、図書データベース４５よりもデータ容量が小さいため、ユーザ端末１４に実装することが容易であり、利用者にとって便利である。
【００５１】
以上、第一ないし第三の実施形態によれば、電子ファイル１０を誰がいつ変更したのかを示す履歴情報や、電子ファイル１０は何を元に作成されたものかを示す上流図書情報（又は、関連図書情報）を管理することにより、電子ファイル１０の信ぴょう性を確保できる。要するに、電子ファイル１０に履歴情報、関連情報を電子タグ１６として付与することにより、電子ファイル１０の編集履歴管理や、関連情報の管理や、電子ファイル１０の相互関連性の整合性管理などが可能になる。
【００５２】
また、本発明は、電子ファイル１０が氾濫する様々な形態に適用することができる。例えば、企業体が多数参加するプロジェクトで電子ファイル１０を交換する場合や、多数の利用者間で電子ファイル１０を編集したり、電子ファイル１０の履歴や相互関連性を確認する必要がある場合に適用することにより、業務等の合理化を推進できる。
【図面の簡単な説明】
【００５３】
【図１】本発明を適用した第一の実施形態の電子ファイル管理システムの構成図である。
【図２】図１の電子タグに記述された電子タグ情報を示す図である。
【図３】図１の電子ファイル管理システムの全体処理を示すフローチャートである。
【図４】電子タグ情報の表示例である。
【図５】図３の電子タグの付与処理（Ｓ１６）の処理内容を示すフローチャートである。
【図６】図３の電子ファイルの正本性の検証処理（Ｓ１３）の判断ロジックを示すフローチャートである。
【図７】本発明を適用した第二の実施形態の電子ファイル管理システムの構成図である。
【図８】図７の電子タグに記述された電子タグ情報を示す図である。
【図９】電子ファイルの上流図書との整合性を検証する処理を示すフローチャートである。
【図１０】本発明を適用した第三の実施形態の電子ファイル管理システムの概略構成図である。
【図１１】図１０の電子ファイル管理システムの構成を示すブロック図である。
【図１２】図１１の電子タグに記述された電子タグ情報を示す図である。
【符号の説明】
【００５４】
１    電子ファイル管理システム
１０  電子ファイル
１２  編集ソフト
１４  ユーザ端末
１６  電子タグ
１８  電子タグ付与手段
２０  正本性検証手段
２４  電子タグ情報記述手段
２６  情報取得手段
４０  上流図書情報取得手段
４２  整合性検証手段
４４  図書データベース通信手段
４６  タグ管理データベース
【図１】
2006227878.tif 000003
【図２】
2006227878.tif 000004
【図３】
2006227878.tif 000005
【図４】
2006227878.tif 000006
【図５】
2006227878.tif 000007
【図６】
2006227878.tif 000008
【図７】
2006227878.tif 000009
【図８】
2006227878.tif 000010
【図９】
2006227878.tif 000011
【図１０】
2006227878.tif 000012
【図１１】
2006227878.tif 000013
【図１２】
2006227878.tif 000014